【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
次の成分：
(A) 環境条件(25℃、1気圧)下で液体のハイドロフルオロエーテルおよび／またはハイドロフルオロポリエーテル；
(B) (CFXO)、(CF2CF2O）、(CF2CF2CF2O)、(CF2CF2CF2CF2O)、(CR5R6CF2CF2O)、(CF(CF3)CF2O)、(CF2CF(CF3)O)（ここで、X = F、CF3であり；R5およびR6は互いに同一または異なって、H、Cl、炭素原子1〜4のパーフルオロアルキルから選択される）から選択される1以上の繰返し単位を含み；ピリジン、アミン、アリールのクラスから選択される末端基を有し、400〜10,000の範囲の数平均分子量を有する、フルオロポリエーテル構造を有する化合物
を含む混合物の、金属および／またはルイス酸の存在下における、熱伝導流体としての使用。
【請求項２】
成分(A)の化合物が、120〜5,000の範囲の数平均分子量を有する、請求項1に記載の使用。
【請求項３】
成分(A)のハイドロフルオロポリエーテルが、統計的にポリマー主鎖に分布する-(CF2O)-、-(CF2CF2O)-、-(CF2(CF2)cO)-（ここで、c = 2、3である）から選択されるオキシフルオロアルキレン単位を含む、請求項1または2に記載の使用。
【請求項４】
成分(A)のハイドロフルオロポリエーテルが、次の式：
T1O-(CF2O)a-(CF2CF2O)b-(CF2(CF2)cO)d-T2    (I)
（式中、
cは2または3の整数であり；a、b、dは、数平均分子量が上記で定義された範囲にあるような0を含む整数であり；T1、T2は互いに同一または異なって、-CF2H、-CF2CF2H、-CH3、-C2H5、-C3H7から選択される）
を有する、請求項1〜3のいずれか1つに記載の使用。
【請求項５】
成分(A)が、構造：
T1O-(CF2CF2O)b-(CF2O)a-T2    (II)
（式中、
T1、T2 = -CF2Hであるか、またはT1、T2 = -CH3であり；a、bは式(I)で定義されたとおりである）
を有する式(I)(ここで、d = 0である)の化合物である、請求項1〜4のいずれか1つに記載の使用。
【請求項６】
成分(A)のハイドロフルオロエーテル化合物が、次の：
−  R1-O-R2  (III)
（式中、R1、R2は互いに同一または異なって、両者合わせて少なくとも3の炭素原子を含み、全水素原子の数は、多くてもフッ素原子の数に等しい）；
−  Rf-O-Rh-O-Rf'  (IV)
（式中、Rf、Rf'は独立して、パーフルオロ脂肪族またはフルオロ脂肪族基であり、Rf、Rf'は少なくとも1つの水素原子を含み；
Rhは独立して、2〜8の炭素原子および少なくとも4の水素原子を有する、直鎖状、分枝鎖状または環状のアルキレン基である）
から選択される、請求項1〜5のいずれか1つに記載の使用。
【請求項７】
前記化合物が、
CF3CFHCF2OC2H4OCF2CFHCF3；
C3F7OCFHCF2OC2H4OCF2CFHOC3F7；
CF3OCFHCF2OC2H4OCF2CFHOCF3；
CF3CFHCF2OC3H6OCF2CFHCF3；
CF3OCFHCF2OC2H4OCF2CFHOCF3；
C3F7OCFHCF2OC2H4OCF2CFHCF3；
CF3CFHCF2OCH2C3F6CH2OCF2CFHCF3；
CF3CF2CF2OCH2CH2CH2OCF2CF2CF3；
CF3CF2CF2CF2OCH2CH2CH2OCF2CF2CF2CF3；
CF3CF2CF2OCH2CH2OCF2CF2CF3；
CF3CF2CF2CF2CF2OCH2CH2CH2OCF2CF2CF2CF2CF3；
CF3CF2CF[CF(CF3)2]OCH2CH2CH2OCF[CF(CF3)2]CF2CF3;
CF3CF2CF2CF2OCH2CH2CH2CH2OCF2CF2CF2CF3；
C4F9OC3H6OC4F9（n-C4F9およびi-C4F9の分離不可能な異性体の混合物）；
C4F9OC4H8OC4F9（n-C4F9およびi-C4F9の分離不可能な異性体の混合物）；
CF3CF2CF2CF2OCH2CH2OCF2CF2CF2CF3；
CF3CF2CF2CF2OCH2CH2OCH2CH2OCF2CF2CF2CF3；
CF3OCF2CF2CF2OCH2CH2CH2OCF2CF2CF2OCF3；
構造(C2F5)(CF3CFH)CFOC2H4OCF-(CFHCF3)(C2F5)を有する異性体またはそれらの混合物から選択される、請求項6に記載の使用。
【請求項８】
成分(A)が、300〜1,550の間に含まれる数平均分子量および20℃で20 cStより低い粘度を有する1以上のパーフルオロポリエーテルとの混合物の状態にある、請求項1〜7のいずれか1つに記載の使用。
【請求項９】
パーフルオロポリエーテルが、20℃で20 cStより低い粘度を有し、式：
T'1O-(CF2CF(CF3)O)a'-(CF(CF3)O)b'-(CF2CF2O)d'-(CF2O)e'-T'2
（式中、
T'1、T'2は互いに同一または異なって、-CF2X1(X1 = -F、-CF3である)、-C3F7から選択され；
a'、b'、d'、e'は、化合物(V)の数平均分子量が200〜1,550の間に含まれるような、0を含む整数である）
の液体パーフルオロポリエーテルから選択され、全組成物に対して、10重量％〜90重量％の間に含まれる量で、成分(A)との混合物の状態で存在する、請求項8に記載の使用。
【請求項１０】
成分(B)のピリジン、アミン、アリール末端基が置換されている、請求項1〜9のいずれか1つに記載の使用。
【請求項１１】
成分(B)の化合物が、次のクラス：
(a) T''1-CFW1-O-Rf-CFW2-T''2    (VI)
［式中、
T''1、T''2は互いに同一または異なって、次の意味：
−  F、CF3、C2F5、(C2F4)Cl；
−  CH2-B-Y、CH(CF3)O-Y
（ここで、
B = O、Sであり；
【化１】
2009528415.tif 000001
（ここで、R1、R2、R3、R4は互いに同一または異なって、H、F、直鎖状もしくは分枝鎖状のC1-C8パーフルオロアルキル、NO2、CNである）である）
を有し、但し、2つの末端基T''1、T''2の少なくとも1つはCH2-B-YまたはCH(CF3)O-Yであり；
W1、W2は互いに同一または異なって、-F、-CF3であり；Rfは、統計的にその主鎖に分布する、次の構造：(CFXO)、(CF2CF2O)、(CF2CF2CF2O)、(CF2CF2CF2CF2O)、(CR5R6CF2CF2O)、(CF(CF3)CF2O)、(CF2CF(CF3)O)（ここで、X = F、CF3であり；R5およびR6は互いに同一または異なって、H、Cl、炭素原子1〜4のパーフルオロアルキルから選択される）を有する1以上の繰返し単位を含む(パー)フルオロポリオキシアルキレン鎖であり；Rfの数平均分子量は400〜10,000である］
(b) NR1R2-CH2-CF2O-RF-CF2-CH2NR1R2    (VII)
（式中、
R1、R2は互いに同一または異なって、H、1〜12の炭素原子のアルキル鎖、3〜12の炭素原子の脂環式、または12までの炭素原子を含むアリール鎖から選択され、但し、R1、R2は共にHであることはなく；RFは、クラス(a)のRfとして定義されたパーフルオロポリオキシアルキレン鎖である）
(c) 
【化２】
2009528415.tif 000002
（式中、
X、Y、X'、Y'は同一または異なって、互いに独立して、H、NO2、C1-C4アルキル、C1-C4アルコキシから選択され；
Z = -CH2-；＞C=O(カルボニル)であり；
mおよびnは、mが両端を含んで0〜80の間に含まれ、nが両端を含んで0〜20の間に含まれるような整数であり；数平均分子量は500〜10,000の間である）
から選択される、請求項1〜10のいずれか1つに記載の使用。
【請求項１２】
クラス(a)の式(VI)における(パー)フルオロポリエーテル鎖Rfが、次の：
(i)  -(CF2CF(CF3)O)a(CFXO)b-、または
-(CF2CF(CF3)O)a(CFXO)bCF2(R'f)CF2O(CF2CF(CF3)O)a(CFXO)b-
（式中、R'fは1〜4のＣ原子のパーフルオロアルキレン基であり；XはFまたはCF3であり；aおよびbは、数平均分子量が上記の範囲にあるような、0を含む整数であり、但し、aまたはbの少なくとも1つは0でない）；
(ii)  -(CF2CF2O)c(CF2O)d(CF2(CF2)zO)h-
（式中、c、dおよびhは、数平均分子量が上記の範囲にあるような、0を含む整数であり、但し、c、d、hの少なくとも1つは0でなく、zは2または3の整数である）；
(iii)  -(CF2CF(CF3)O)e(CF2CF2O)f(CFXO)g-
（式中、XはFまたはCF3であり；e、f、gは、数平均分子量が上記の範囲にあるような、0を含む整数であり、但し、e、f、gの少なくとも1つは0でない）；
(iv)  -(CF2(CF2)zO)s-
（式中、sは、上記の分子量を与えるような整数であり、zは既に定義された意味を有する）；
(v)  -(CR5R6CF2CF2O)j'-または
-(CR5R6CF2CF2O)p'-R'f-O-(CR5R6CF2CF2O)q'-
（式中、R5およびR6は互いに同一または異なって、H、Clまたは1〜4のＣ原子のパーフルオロアルキルから選択され；R'fは1〜4のＣ原子のフルオロアルキレン基であり；j'、p'およびq'は、上記の分子量を有するような整数である）；
(vi)  -(CF(CF3)CF2O)jまたは
-(CF(CF3)CF2O)k-R'f-O-(CF(CF3)CF2O)j''-
（式中、R'fは1〜4のＣ原子のフルオロアルキレン基であり；j、k、j''は上記の分子量を与えるような整数である）
から選択される、請求項11に記載の使用。
【請求項１３】
クラス(a)の式(VI)におけるパーフルオロポリエーテル構造Rfが(i)および(ii)から選択される、請求項12に記載の使用。
【請求項１４】
クラス(a)の式(VI)の化合物が、ピリジン環Yの窒素原子に対してアルファ位においてエーテル結合によって炭素原子に結合している(パー)フルオロポリエーテル鎖を有する、請求項12または13に記載の使用。
【請求項１５】
クラス(a)の化合物が、式(VIii)：
【化３】
2009528415.tif 000003
を有する、請求項11〜14のいずれか1つに記載の使用。
【請求項１６】
3級アミン末端基を有するクラス(b)の化合物が、R1、R2 = C1-C6脂肪族基を有するものである、請求項11に記載の使用。
【請求項１７】
クラス(c)化合物が、式(VIIIc)：
【化４】
2009528415.tif 000004
（式中、mは両端を含んで0〜80の間に含まれる整数であり；nは両端を含んで0〜20の間に含まれる整数である）
を有する、請求項11に記載の使用。
【請求項１８】
成分(B)が、クラス(a)、(b)の化合物の間から選択される、請求項1〜16のいずれか1つに記載の使用。
【請求項１９】
成分(B)としてクラス(c)の化合物が用いられ、成分(A)として-CH3および-C2H5から選択されるターミナル末端基を有するハイドロフルオロポリエーテルが用いられる、請求項1〜17のいずれか1つに記載の使用。
【請求項２０】
成分(B)が、全組成物に対して、30重量％までの範囲の量である、請求項1〜19のいずれか1つに記載の使用。
【請求項２１】
成分(B)が、クラス(a)および(b)の化合物から選択される、請求項1〜20のいずれか1つに記載の熱伝導流体。